(57)【特許請求の範囲】
【請求項１】
圧縮可能な被収納物が巻付けられる芯材と、該被収納物の該芯材への巻付け状態を保持する拘束材とを備え、前記芯材は内部に前記拘束材が引き出し可能に収容される空隙を備えた筒形に形成され、前記拘束材は開閉可能な袋形に形成されると共に該拘束材は前記芯材と連結されており、前記芯材に巻付けられた前記被収納物を該芯材から引き出された前記拘束材が反転して被覆するように構成されていることを特徴とする圧縮収納具。
【請求項２】
請求項１記載の圧縮収納具において、前記拘束材は前記芯材と連結紐で連結され、該連結紐は前記拘束材の袋形の底部から袋形の脇部に延びて前記拘束材に固着されており、前記芯材の内部には前記空隙を区画する隔壁が備えられ、該隔壁には前記連結紐を挿通する連通孔が設けられていることを特徴とする圧縮収納具。
【請求項３】
請求項１または２記載の圧縮収納具において、芯材の外周面にはシート片が付設され、芯材とシート片との間に被収納物の巻付けの始端を挟み込むことを特徴とする圧縮収納具。
【請求項４】
請求項１記載の圧縮収納具において、芯材は軸方向に開口するよう分割され、開口に被収納物の巻付けの始端を挟み込むことを特徴とする圧縮収納具。
【請求項５】
請求項１から４のいずれかに記載の圧縮収納具において、芯材は軸方向に伸縮自在な構造を有することを特徴とする圧縮収納具。
【請求項６】
請求項１から５のいずれかに記載の圧縮収納具において、芯材は通気性を有する素材からなることを特徴とする圧縮収納具。
【請求項７】
請求項１から６のいずれかに記載の圧縮収納具において、芯材には、ロール紙の芯材を転用することを特徴とする圧縮収納具。
【発明の詳細な説明】
【０００１】
【発明の属する技術分野】
本発明は、内部に空気を含み圧縮可能な被収納物の圧縮収納に係る技術分野に属する。
【０００２】
【従来の技術】
空気を含んだ被収納物で、特に大量の空気を含む羽毛布団やダウンジャケット、寝袋等については、収納スペースの効率化を指向して、被収納物を圧縮し含んでいる空気を排出してから収納する圧縮収納が行われている。
【０００３】
従来、圧縮収納技術としては、例えば、実開平７−１５５８９号公報に記載のものが知られている。
【０００４】
この従来の圧縮収納技術は、被収納物を渦巻状に巻いて内袋の中に詰込み、続いて内袋の内部の空気を掃除機等の機器類で大量に排出して被収納物をかなり圧縮させた後、内袋の口を結束バンドで結束し、被収納物の凹凸を整えてから被収納物の入った内袋をさらに外袋に収容するものである。
【０００５】
【発明が解決しようとする課題】
前述の従来の圧縮収納技術では、膨張し易い被収納物を圧縮して収納するために、内袋、結束バンド、外袋、掃除機等、多くの部材を取り揃え、さらに多段階の手順を重ねているため作業が複雑であり、被収納物の圧縮に手間が掛かるという問題点がある。
【０００６】
また、前述の圧縮収納技術では、内袋に詰込まれた被収納物を圧縮するのに掃除機等の機器類の吸引力を必要とするため、強力な吸引力で被収納物の充填材料（羽毛等）が損傷するという問題点がある。また、袋から取り出した被収納物を元の膨らみに戻すために、日光や布団乾燥機を要したりする点においてもきわめて面倒であった。
【０００７】
本発明は、このような問題点を考慮してなされたもので、充填物を損傷することなく被収納物を容易に圧縮することができる圧縮収納具と、この圧縮収納具を用いた圧縮収納方法を提供することを課題とする。
【０００８】
【課題を解決するための手段】
前述の課題を解決するため、本発明に係る圧縮収納具は、次のような手段を採用する。
【０００９】
即ち、請求項１では、圧縮可能な被収納物が巻付けられる芯材と、被収納物の芯材への巻付け状態を保持する拘束材とを備えてなる。
【００１０】
この手段では、芯材を回転中心とする被収納物の巻付け状態を芯材に連結された拘束材で保持する。
【００１１】
また、請求項２では、請求項１記載の圧縮収納具において、拘束材は芯材に連結されていることを特徴とする。
【００１２】
この手段では、拘束材と芯材との離脱が防止される。
【００１３】
また、請求項３では、請求項１または２記載の圧縮収納具において、芯材は筒形に形成され、拘束材は芯材の内部に引き出し可能に収容されることを特徴とする。
【００１４】
この手段では、拘束材が芯材に収容され、必要時に引き出される。
【００１５】
また、請求項４では、請求項１から３のいずれかに記載の圧縮収納具において、拘束材は、開閉可能な袋形に形成され、芯材から引き出された拘束材は反転して芯材に巻付けられた被収納物を被覆することを特徴とする。
【００１６】
この手段では、拘束材は芯材に連結されているため、被収納物と拘束材との位置合わせが不要で、拘束材を裏返す作業により、被覆が完了する。また、被収納物は拘束材に包まれて芯材への巻付け状態が保持される。また、拘束材が開閉可能であるため、拘束材による被覆作業時の作業性が向上される。
【００１７】
また、請求項５では、請求項１から４のいずれかに記載の圧縮収納具において、芯材の外周面にはシート片が付設され、芯材とシート片との間に被収納物の巻付けの始端を挟み込むことを特徴とする。
【００１８】
この手段では、巻付け時に、芯材と被収納物との位置ズレが抑制される。
【００１９】
また、請求項６では、請求項１から４のいずれかに記載の圧縮収納具において、芯材は軸方向に開口するよう分割され、開口に被収納物の巻付けの始端を挟み込むことを特徴とする。
【００２０】
この手段では、巻付け時に、芯材と被収納物との位置ズレが抑制される。
【００２１】
また、請求項７では、請求項１から６のいずれかに記載の圧縮収納具において、芯材は軸方向に伸縮自在な構造を有することを特徴とする。
【００２２】
この手段では、被収納物の大きさに対応して芯材の軸長を可変することができる。
【００２３】
また、請求項８では、請求項１から７のいずれかに記載の圧縮収納具において、芯材は通気性を有する素材からなることを特徴とする。
【００２４】
この手段では、被収納物の中心に通気性が備えられる。
【００２５】
また、請求項９では、請求項１から８のいずれかに記載の圧縮収納具において、芯材には、ロール紙の芯材を転用することを特徴とする。
【００２６】
この手段では、ロール紙の芯材を転用または再利用することにより、芯材の製造コストが削減される。
【００２７】
さらに、前述の課題を解決するため、本発明に係る圧縮収納方法は、次のような手段を採用する。
【００２８】
即ち、請求項１０では、圧縮可能な被収納物を展開させておき、被収納物の上で拘束材が連結された芯材を転がしながら被収納物を圧縮させて芯材に巻付け、被収納物の芯材への巻付けが完了した後に、直ちに拘束材で被収納物の芯材への巻付け状態を保持する。
【００２９】
この手段では、展開された被収納物の上で芯材を転がすことで被収納物が圧縮され、圧縮された被収納物がそのまま芯材に巻付けられる。被収納物の巻付け状態は、芯材とともに転がっている拘束材で直ちに保持される。圧縮され巻付け状態が保持された被収納物に対しては、芯材が骨材として機能して保形力を備える。
【００３０】
【発明の実施の形態】
以下、本発明に係る圧縮収納具および圧縮収納方法具の実施の形態を図面に基づいて説明する。
【００３１】
図１〜図７は、本発明に係る圧縮収納具および圧縮収納方法の実施の形態（１）を示すものである。まず、本発明に係る圧縮収納具の実施の形態の構成を説明する。
【００３２】
この実施の形態（１）の圧縮収納具１００は、圧縮可能な被収納物５が巻付けられる芯材１と、芯材１に連結されて被収納物５の芯材１への巻付け状態を保持する拘束材２とを備えてなる。
【００３３】
芯材１は、通気性を有する材料、例えば紙材等で円筒形に形成された本体部１１と、本体部１１の内部を大小２つの空隙１２、１３に区画する隔壁１４とを備えている。大きな空隙１２は、図３（Ｂ）に示すように、拘束材１の大部分を収容可能な容積を備え、小さな空隙１３は、拘束材１の一部分を収容可能な容積を備えている。隔壁１４には、両空隙１２、１３を連通する連通孔１５が開孔されている。
【００３４】
本体部１１には、ロール紙等の芯材（紙管）を転用あるいは再利用（リサイクル）することができる。これにより、本体部１１の製造コストを削減することができるとともに資源の再利用が図れる。また、紙材を使用することで廃棄時の環境にも配慮できる。なお、本体部１１には、巻き易さを向上させるために、被収納物５の表面材との間である程度の摩擦を生じるような材質が貼着されたり表面処理が施されたりしてもよい。
【００３５】
拘束材２は、通気性を有し摩擦の少ない材料、例えばメッシュ材等で袋形に形成された袋部２１と、袋部２１と芯材１とを連結する連結紐２２と、連結紐２２の端部に取付けられたストッパ球２３を備えている。連結紐２２は、袋部２１の底部２１７に設けられた連結部２１５で２股に分岐されて後述する結束口２１４方向へ少し延びて固着されている。連結部２１５は、底部２１７の略々中央に設けられることが好ましい。連結紐２２は、芯材１の連通孔１５に挿通され、ストッパ球２３は、芯材１の連通孔１５よりも大きく形成されている。そして、袋部２１が芯材１の大きな空隙１２側に配置され、ストッパ球２３が芯材１の小さな空隙１３側に配置され、連結紐２２が貫通孔１５を移動可能に配置されている。連結紐２２の長さ、隔壁１４の位置は、拘束材２が芯材１から引き出されたとき、袋部２１の全てが表出し、かつ芯材１から離れすぎない適度な位置となるようあらかじめ構成されている。また、連結紐２２に対するストッパ球２３の位置を可変とし、芯材１から引き出される袋部２１の飛び出し量を調整できるようにしても良い。
【００３６】
袋部２１の連結部２１５の反対側には、結束口２１４が設けられ、この結束口２１４の端には紐挿通部２１１が設けられて結束紐２１２が挿通されている。この結束紐２１２で絞ったり緩めたりすることで、結束口２１４は結束状態と開口状態に自在に開閉される。なお、結束口２１４の結束の形態は、これに限定されるものではなく、ファスナーや面状ファスナー等を使用したり、紐状部材で締結したりするよう構成してもよい。
【００３７】
この実施の形態では、連結孔１５が連結紐２２より大きく、ストッパ球２３より小さいため、拘束材２側を芯材１から引き出すと、芯材１の隔壁１４を、連結紐２２は通過するがストッパ球２３が引掛かり、拘束材２の芯材１から離間、離脱を阻止する。従って、芯材１、拘束材２は、常に近接して存在することになる。また、連結部２１５により袋部２１の底部２１７の略々中央に芯材１が位置するため、被収納物５と拘束材２の位置決めが容易になる。
【００３８】
また、拘束材２のストッパ球２３側を引っ張ると、図３（Ａ）に示すように、拘束材２の袋部２１を芯材１の大きな空隙１２に引込んで収容することができる。このとき、拘束材２の連結紐２２が袋部２１の中途にまで延びているので、袋部２１の引込みが円滑になされる。もちろん、ストッパ球２３のみを引くだけでなく、補助的に、拘束材２の袋部２１を押込んでもよい。また、引っ張った拘束材２の連結紐２２、ストッパ球２３については、図３（Ｂ）に示すように、芯材１の小さな空隙１３に押込んで収容することができる。従って、不使用時には、芯材１の本体部１１のみが視認されるのみで外観の体裁が良好になるとともに、芯材１の本体部１１からの突出部がなく保管等に便利となる。
【００３９】
なお、芯材１の隔壁１４を、拘束材２と反対側の芯材１の端部１８に設けて、小さな空隙１３を省略した構造とし、芯材１の構造を簡素化してもよい。
【００４０】
次ぎに、本発明に係る圧縮収納具１００の使用例、動作に基づいて、本発明に係る圧縮収納方法を説明する。
【００４１】
この実施の形態では、図４に示すように、被収納物５を床、卓上等に展開させておき、被収納物５の一方端部に拘束材２を収容した芯材１を載せる。なお、被収納物５をあらかじめ芯材１の長さと同程度の幅に折畳んでおくと、巻き易さが向上される。そして、芯材１の本体部１１を被収納物５に押付けるようにして、芯材１と被収納物５の始端５１を回転中心とし、そのまま芯材１の本体部１１を被収納物５の終端方向へ転がしながら、芯材１の本体部１１に被収納物５を巻付けていく。この巻付けでは、芯材１を直接あるいは間接的に掴んで巻付けができるため回転させやすく、また被収納物５へ圧縮する力を加えやすい。さらに、芯材１の本体部１１と被収納物５との間に適度な摩擦が生じるため、前述の従来例のように被収納物５を単に渦巻状に巻くのに比してはるかに容易、確実に巻付けを実行することができる。また、この被収納物５の圧縮では、被収納物５を自然な押圧力で圧縮するだけであり、従来例のように強制的に外部から吸引して圧縮するものではないため、被収納物５の素材や充填物を損傷することがない。
【００４２】
芯材１への被収納物５の巻付けが完了した後には、図５に示すように、芯材１から拘束材２の結束口２１４側を少し引き出す。そして、直ちに、芯材１に巻付けられている被収納物５の側面から結束口２１４を被せて渦巻状の被収納物５を拘束する。続いて、連結部２１５を中心に袋部２１の反転を拡張し、包み込むよう徐々に被覆する。そして、図６に示すように、拘束材２の袋部２１の結束紐２１２で袋部２１の結束口２１４を絞って結束する。従来例のように別体の袋に被収納物５を収納させる場合には、通常の袋の口を大きく広げたり、袋を手繰り寄せたりして、口から中に被収納物５を押し込む作業が必要となり、労力を要する。しかし、この実施の形態では、拘束材２が芯材１と連結しているため、袋部２１の底部２１７に対する被収納物５の位置決めが容易で、連結部２１５を支点として簡単に裏返すことができる。そして、拘束材２は芯材１から必要量だけ徐々に引き出し、袋部２１の結束口２１４側を引き上げる作業だけで、容易に被収納物５を被覆することができ、大きな労力を必要とせず速やかに簡単に作業を完結できる。なお、被収納物５の芯材１への巻き付け開始前に芯材１から拘束材２を引き出しておき、芯材１の転がしに追従させて拘束材２を転がすことも可能である。また、拘束材２を芯材１から全て引き出し、巻付けられている被収納物５の側面に袋部２１の底部２１７をあてがってから袋部２１を反転させて被覆しても良い。
【００４３】
また、拘束材２で被覆したことにより、被収納物５の芯材１への巻付け状態が保持され、この状態では、芯材１、拘束材２の材質と芯材１の空隙１２、１３の存在とによって、被収納物５に対する通気が確保される。また、芯材１が圧縮された被収納物５に対する骨材として機能し全体に保形力が備えられるため、芯材１を垂直にして並列させたり、狭い間隙に押込んだり、あるいはベルト状の部材で天井から吊して保管することも可能になる。従って、収納整理が制約されず収納性が向上する。
【００４４】
また、保形力が備えられ収納が崩れることがないため、拘束材２で被覆された状態で、クッション材、枕等として他の用途に供することも可能になる。
【００４５】
図８は、本発明に係る圧縮収納具および圧縮収納方法の実施の形態（２）を示すものである。
【００４６】
この実施の形態（２）の圧縮収納具１００では、芯材１の本体部１１の外周面の軸方向に沿ってシート片３を固着してある。図８では、シート片３の形状は方形を呈し、芯材１の軸方向の全長に沿うよう設けているが、形状や長さはこれに限定するものではなく、丸形や三角形に設けたり、また芯材１の全長に対し部分的に設けたりしても良い。
【００４７】
この実施の形態によると、被収納物５の巻付けの始端５１を芯材１の本体部１１の外周面とシート片３との間に挟み込むことができる。この挟み込みやシート片３との被収納物５の摩擦抵抗により、巻き始めに被収納５の始端５１が位置ずれしないため押圧し易く、芯材１の本体部１１への被収納物５の巻付けが容易になる。
【００４８】
なお、他の作用、効果については、前述の実施の形態（１）とほぼ同様に奏される。
【００４９】
図９、図１０は、本発明に係る圧縮収納方法および圧縮収納具の実施の形態（３）を示すものである。
【００５０】
この実施の形態（３）の圧縮収納具１００では、芯材１の本体部１１が軸方向に開口するよう分割され、開口の２辺が対向して挟持部１６が形成されている。そして、この挟持部１６に被収納物５の巻き付けの始端５１を挟み込むことができる。また、拘束材２の連結紐２２、ストッパ球２３が省略され、袋部２１の底部２１７の一部が固定端２１６として芯材１の本体部１１の端部に固着されている。
【００５１】
この実施の形態では、被収納物５の巻付け開始前に芯材１の本体部１１を開いて拘束材２を引き出すことになる。また、不使用時には、開いた芯材１の本体部１１に拘束材２を詰込んで収容することになるため、全体の構造が簡素化される。
【００５２】
また、被収納物５の巻付けの始端５１を芯材１の本体部１１の挟持部１６に挟込み、芯材１を直接あるいは間接的に掴むことにより自然と挟み込み力を付加することができる。これにより、巻き始めに被収納物５の始端５１が位置ずれしないため押圧し易く、芯材１の本体部１１への被収納物５の巻付けが容易になる。
【００５３】
なお、他の作用、効果については、前述の実施の形態（１）（２）とほぼ同様に奏される。
【００５４】
図１１は、本発明に係る圧縮収納具および圧縮収納方法の実施の形態（４）を示すものである。
【００５５】
この実施の形態では、芯材１の本体部１１が軸方向への伸縮構造を備えている。また、拘束材２の連結紐２２、ストッパ球２３が省略され、袋部２１の底部２１７の一部が固定端２１６として芯材１の本体部１１の端部に固着されている。
【００５６】
この実施の形態によると、被収納物５の大きさに対応して芯材１の本体部１１の軸長を可変することができる。また、被収納物５の巻付けを行わないときには、芯材１を縮めてコンパクトに保管できる。
【００５７】
なお、他の作用、効果については、前述の実施の形態（１）〜（３）とほぼ同様に奏される。
【００５８】
図１２は、本発明に係る圧縮収納具および圧縮収納方法の実施の形態（５）を示すものである。
【００５９】
この実施の形態では、芯材１の本体部１１に通気孔１７を開孔してある。なお、通気孔７の開孔に替えて、メッシュ状の素材や、高通気性の素材で本体部１１を構成してもよい。
【００６０】
この実施の形態によると、芯材１に巻付けられた被収納物５への通気性がより良好になる。これにより被収納物５のムレやカビの発生を抑制し、保管状態を快適に維持できる。
【００６１】
なお、他の作用、効果については、前述の実施の形態（１）〜（４）とほぼ同様に奏される。
【００６２】
図１３は、本発明に係る圧縮収納具および圧縮収納方法の実施の形態（６）を示すものである。
【００６３】
この実施の形態では、拘束材２の袋部２１に結束口２１４から底部２１７に向けてファスナー２１３を設けてある。
【００６４】
この実施の形態によると、ファスナー２１３を開放しておくことにより、芯材１に巻付けられた被収納物５を拘束材２の袋部２１で包込みやすくなる。また、拘束材２の袋部２１からの被収納物５の取り出しも容易になる。
【００６５】
なお、他の作用、効果については、前述の実施の形態（１）〜（５）とほぼ同様に奏される。
【００６６】
図１４は、本発明に係る圧縮収納具および圧縮収納方法の実施の形態（７）を示すものである。
【００６７】
この実施の形態では、拘束材２が芯材１に連結されずに別体で構成されており、芯材１の内部に分離自在に収容されている。これにより、拘束材２を自在に交換することもできる。なお、他の作用、効果については、前述の実施の形態（１）〜（６）とほぼ同様に奏される。
【００６８】
以上、図示した実施の形態の他に、芯材１の本体部１１を楕円形筒、角筒とすることも可能である。また、図１５に示すように、拘束材２を必ずしも芯材１の内部に収容して保管するのではなく、不使用時に、拘束材２の内部に芯材１を入れて保管してもよい。
【００６９】
また、拘束材２を単なる結束用の紐状部材とすることも可能である。
【００７０】
さらに、実施の形態（１）〜（６）を適宜組み合わせて実施しても良い。
【００７１】
本発明の圧縮収納具１００の用途としては、被収納物５に含まれる空気量に拘わらず適用することができるが、特に、大量の空気を含む羽毛布団、綿布団、羊毛布団、ダウンジャケット、寝袋等の収納に好適である。また、圧縮量が僅かなセータ、タオルケット、シーツ、布団カバー等に適用し、衣料品、寝装品の収納具として使用してもよい。さらに、住宅内での保管用として収納する以外に、旅行時に衣類を鞄等に収納する際にも好適である。
【００７２】
【実施例】
前述の実施の形態（１）について、被収納物５の種類に対応して芯材１、拘束材２の大きさを検討した結果、（表１）に示す数値が得られた。
【００７３】
【表１】
0004588896.tif 000002
【００７４】
（表１）のように被収納物５の種類に応じて、圧縮収納具１００の寸法を構成すると、巻回時に押圧し易く、被覆時の収納性にも優れた圧縮収納具１００を得ることができた。
【００７５】
【発明の効果】
以上のように、本発明に係る圧縮収納具および圧縮収納方法は、展開された被収納物の上で芯材を転がすことで被収納物が圧縮され、圧縮された被収納物がそのまま芯材に巻付けられ、被収納物の巻付け状態が芯材に連結された拘束材を反転することで直ちに保持されるため、被収納物を容易に圧縮し収納することができる効果がある。
【００７６】
さらに、巻付けの際に被収納物に強い力が加わらないため、被収納物の充填物が損傷しない効果がある。
【００７７】
さらに、圧縮され巻付け状態が保持された被収納物に対して芯材が骨材として機能して保形力を備えるため、自由な収納形態等が可能になって、収納整理に制約がなくなる効果がある。
【図面の簡単な説明】
【図１】本発明に係る圧縮収納具および圧縮収納方法の実施の形態（１）を示す斜視図である。
【図２】実施の形態（１）の縦断面図である。
【図３】実施の形態（１）の芯材に対する拘束材の収容状態を示す縦断面図であり、（Ａ）は拘束材の一部の収容状態を示し、（Ｂ）は拘束材の全部の収容状態を示している。
【図４】実施の形態（１）の使用状態を示す斜視図である。
【図５】実施の形態（１）の使用状態を示す斜視図である。
【図６】実施の形態（１）の使用状態を示す斜視図である。
【図７】実施の形態（１）の使用状態を示す縦断面図である。
【図８】本発明に係る圧縮収納具および圧縮収納方法の実施の形態（２）を示す斜視図である。
【図９】実施の形態（２）の使用状態を示す斜視図である。
【図１０】本発明に係る圧縮収納具および圧縮収納方法の実施の形態（３）を示す斜視図である。
【図１１】本発明に係る圧縮収納具および圧縮収納方法の実施の形態（４）を示す斜視図である。
【図１２】本発明に係る圧縮収納具および圧縮収納方法の実施の形態（５）を示す縦断面図である。
【図１３】本発明に係る圧縮収納具および圧縮収納方法の実施の形態（６）を示す斜視図である。
【図１４】本発明に係る圧縮収納具および圧縮収納方法の実施の形態（７）を示す断面図である。
【図１５】本発明に係る圧縮収納具および圧縮収納方法の実施の形態の変形例を示す側面図である。
【符号の説明】
１    芯材
１１    本体部
１２、１３    空隙
１４    隔壁
１５    連通孔
１６    挟持部
１７    通気孔
１８    端部
２    拘束材
２１    袋部
２１１    紐挿通部
２１２    結束紐
２１３    ファスナー
２１４    結束口
２１５    連結部
２１６    固定端
２１７    底部
２２    連結紐
２３    ストッパ球
３    シート片
５    被収納物
５１    始端
１００    圧縮収納具
【図１】
0004588896.tif 000003
【図２】
0004588896.tif 000004
【図３】
0004588896.tif 000005
【図４】
0004588896.tif 000006
【図５】
0004588896.tif 000007
【図６】
0004588896.tif 000008
【図７】
0004588896.tif 000009
【図８】
0004588896.tif 000010
【図９】
0004588896.tif 000011
【図１０】
0004588896.tif 000012
【図１１】
0004588896.tif 000013
【図１２】
0004588896.tif 000014
【図１３】
0004588896.tif 000015
【図１４】
0004588896.tif 000016
【図１５】
0004588896.tif 000017